(57)【要約】      （修正有）【課題】運転状態をランプの光の色やランプの点灯又は消灯によって報知しつつデザインの自由度を狭めることのない空気処理装置を提供する。【解決手段】本体の底部を支える複数の支持足９を備え、前記支持足のうちの一つ９ａにスイッチ９ｃがあり、前記本体の底部に複数の色を発光することができるランプ１１があり、前記本体を下方向に押し付けることで前記スイッチ９ｃが押されて空気処理部の運転状態が変化し、前記運転状態に応じて前記ランプ１１が異なる色に点灯するかあるいは消灯する。【選択図】図４
2018200153.tif 000002
【特許請求の範囲】
【請求項１】
装置本体に、外部空気の吸気口と、内部空気を放出するための放出口と、前記吸気口から前記放出口へと空気を移動させるためのファンと、前記吸気口から前記放出口の空気流路の途中に設けられて空気に対して処理を施す空気処理部とを備えた空気処理装置であって、
前記装置本体の底部に当該装置本体を支える複数の支持足を設け、
前記支持足の少なくとも一つに、前記空気処理部を動作させるスイッチを設け、
前記装置本体の底部に複数の色を発光可能なランプを設け、
前記装置本体を載置面に押し付けることにより、前記支持足の前記スイッチを前記載置面へ押し付けて前記スイッチを投入することにより、前記空気処理部の運転状態を変化させると共に、前記運転状態に応じて前記ランプが異なる色に点灯するかあるいは消灯させる制御を行う制御部を備えたことを特徴とする空気処理装置。
【請求項２】
前記支持足を複数個配置し、前記装置本体の底部の外縁に、当該装置本体の傾きを防ぐ凸部を設けたことを特徴とする請求項１記載の空気処理装置。
【請求項３】
前記スイッチが設けられている前記支持足と前記ランプを近接して配置したことを特徴とする請求項１記載の空気処理装置。
【請求項４】
底部以外を覆う外部カバーを備え、当該外部カバーの側部及び上部には前記放出口のみを設けたことを特徴とする請求項１記載の空気処理装置。
【発明の詳細な説明】
【技術分野】
【０００１】
本発明は、加湿器や電気芳香器のように加湿や芳香空気の散布など何らかの空気への処理を行う空気処理装置に関する。
【背景技術】
【０００２】
たとえば引用文献１においては、加湿器の側面にある貯水部に、運転状態に応じて異なる色の光を照射する技術が開示されている。
【先行技術文献】
【特許文献】
【０００３】
【特許文献１】特開２００１‐５０５６３号公報
【発明の概要】
【発明が解決しようとする課題】
【０００４】
しかし、このように本体の側面において光の色で運転状態を報知する場合、側面の任意の部分にそのような機構を設けることとなり、空気処理装置のデザインの自由度が狭まる。
【０００５】
そこで、本発明は、運転状態をランプの光の色やランプの点灯又は消灯によって報知しつつデザインの自由度を狭めることのない空気処理装置を提供する。
【課題を解決するための手段】
【０００６】
請求項１記載の空気処理装置は、装置本体に、外部空気の吸気口と、内部空気を放出するための放出口と、  前記吸気口から前記放出口へと空気を移動させるためのファンと、前記吸気口から前記放出口の空気流路の途中に設けられて空気に対して処理を施す空気処理部とを備えた空気処理装置であって、前記装置本体の底部に当該装置本体を支える複数の支持足を設け、前記支持足の少なくとも一つに、前記空気処理部を動作させるスイッチを設け、前記装置本体の底部に複数の色を発光可能なランプを設け、前記装置本体を載置面に押し付けることにより、前記支持足の前記スイッチを前記載置面へ押し付けて前記スイッチを投入することにより、前記空気処理部の運転状態を変化させると共に、前記運転状態に応じて前記ランプが異なる色に点灯するかあるいは消灯させる制御を行う制御部を備えたことを特徴とする。
【０００７】
請求項２記載の空気処理装置は、前記支持足を複数個配置し、前記装置本体の底部の外縁に、当該装置本体の傾きを防ぐ凸部を設けたことを特徴とする。
【０００８】
請求項３記載の空気処理装置は、前記スイッチが設けられている前記支持足と前記ランプを近接して配置したことを特徴とする。
【０００９】
請求項４記載の空気処理装置は、底部以外を覆う外部カバーを備え、当該外部カバーの側部及び上部には前記放出口のみを設けたことを特徴とする。
【発明の効果】
【００１０】
本願請求項１に係る発明は次のような効果を奏する。底部にスイッチと運転状態を知らせるランプがあるので、ランプによる運転状態報知機能や運転状態を切り替えるスイッチを有しつつ空気処理装置の側部及び上部におけるデザインの自由度が高まる。
【００１１】
また、ランプの色や点灯・消灯と運転状態が対応しているので、使用者は運転状態をランプの状態を見ることで容易に判別することができる。
【００１２】
更に、装置本体を下方向へ押し付けることでスイッチを押せるので、簡単にスイッチが押せる。たとえば側部のどこかに指で押すようなスイッチが設けられているとすると、そのスイッチの場所を確認してから指先でそのスイッチを押すという行程となるが、本願発明の空気処理装置においては装置本体全体を手で持ち下に押し付けることでスイッチを押せるので、指先などによる細かい作業が苦手な方も容易にスイッチを押すことができる。
【００１３】
本願請求項２に係る発明は、上述の効果に加えて、次のような効果を奏する。本願発明の加湿器においてはスイッチが複数ある足のうちの一つについているためスイッチを押す際に装置本体をスイッチ付き足のほうへ少し傾ける必要があるが、傾きを規制する凸部により、スイッチを押すときに装置本体を傾けすぎてしまい倒してしまうことを防止する。また、誤った方向へと傾けてしまったときの点灯も防止する。
【００１４】
本願請求項３に係る発明は、請求項１に係る発明の効果に加えて、次のような効果を奏する。ランプの位置とスイッチ付き足が近接して配置されているため、使用者はランプの光の位置を見ることによりスイッチのおおよその位置を知ることができ、スイッチを押す際に傾けるべき方向を容易に知ることができる。
【００１５】
本願請求項４に係る発明は、請求項１に係る発明の効果に加えて、次のような効果を奏する。底部にスイッチとランプがあるため外部カバーは放出口を備えているだけの簡単な構造とすることができ、外部カバーは材質や形状の異なるものとすぐに交換でき、内部構造をそのままに様々な外観の空気処理装置とすることができる。
【図面の簡単な説明】
【００１６】
【図１】本発明の実施形態の斜視図
【図２】本発明の実施形態の分解斜視図
【図３】本発明の実施形態における本体内部の斜視図
【図４】本発明の実施形態における底面図
【図５】本発明の実施形態に設けられている制御系のブロック図
【図６】本発明の実施形態における使用中の斜視図
【図７】本発明の実施形態において、使用者がスイッチを押すときの様子を示す図
【図８】本発明の実施形態の使用時に実行される処理手順フローチャートを示す図
【図９】本発明の実施形態の底面図において凸部による支持基底面以外の部分に斜線を施した図
【図１０】本発明を適用した他の実施形態の斜視図
【図１１】本発明を適用した他の実施形態の斜視図
【発明を実施するための形態】
【００１７】
以下、本発明の好適な実施形態を図面に基づいて説明する。
【００１８】
図１は本発明を適用した電気芳香器の斜視図である。１は装置本体である。
【００１９】
図２は図１で示した電気芳香器の分解図である。２は外部カバー、３は内部カバー、４は本体内部である。本体内部４に内部カバー３を装着した後に外部カバー２を本体内部４と内部カバー３の組み合わさったものに装着すると使用可能な図１の状態となる。外部カバー２は放出口固定リブ３ａとつば部４ａによって位置決めされる。
【００２０】
図３は本体内部４の斜視図である。５は貯水タンク、６は振動子、７は通気口である。貯水タンク５に入れたアロマオイル入りの水を振動子６によって霧化させ、芳香空気を発生させる。そして、通気口７から出る空気によって放出口１ａへと芳香空気を運ぶ。
【００２１】
図４は本体内部４の底面図である。８は吸気口、９ａはスイッチ付き足、９ｂは滑り止めゴム、９ｃはスイッチ、１０は凸部、１１はランプ、１２は電源プラグ差込口である。スイッチ９ｃが設けられたスイッチ付き足９ａと滑り止めゴム付き足９ｂは同じ高さとなっている。凸部１０はスイッチ付き足９ａと滑り止めゴム付き足９ｂよりも低くなっている。スイッチ９ｃは押しボタンのスイッチである。図示されていないが、吸気口８の奥には、吸気口８から通気口７を経て放出口１ａへと空気を移動させるためのファンが設けられている。
【００２２】
図５は、本発明の実施形態に設けられた制御系のブロック図である。９ｃはスイッチ、１３は制御部、１４はランプの駆動部、１５はファンの駆動部、１６は振動子の駆動部である。図示されていないが、制御部１３、ランプの駆動部１４、ファンの駆動部１５、振動子の駆動部１６は本体内部４の内部に設けられている。
【００２３】
以下、実施形態の作用について説明する。
【００２４】
まず、本体１を外部カバー２、内部カバー３、本体内部４に分解する。本体内部４の貯水タンク５へ水を入れる。そして、貯水タンク５へアロマオイルを数滴入れる。
【００２５】
本体内部４に内部カバー３と外部カバー２を装着し、平らな場所に設置する。
【００２６】
本体内部４の電源プラグ差込口１２に図示されていないＡＣアダプターの電源プラグを差し込み、ＡＣアダプターをコンセントに差し込む。
【００２７】
電気が本体内部に供給され、運転状態が待機状態となる（図８、Ｓ１）。待機状態では、制御部１３によりランプの駆動部１４、ファンの駆動部１５、振動子の駆動部１６が制御され、ランプ１１が赤色に光り、ファン及び振動子６は作動しない。スイッチの投入がなければ、待機状態から他の運転状態へ変化しない（図８、Ｓ２のＮＯ）。
【００２８】
本体を下方向に押し付けると、スイッチ９ｃが投入され（図８、Ｓ２のＹＥＳ）、運転状態が通常運転となる（図８、Ｓ３）。通常運転では、制御部１３によりランプの駆動部１４、ファンの駆動部１５、振動子の駆動部１６が制御され、ランプ１１は緑色に光り、ファン及び振動子６が作動する。作動した振動子６がアロマオイル入り水を霧化させ、芳香空気を発生させる。作動したファンにより吸気口８から空気が吸入され、通気口７から吹き出る。その空気によって芳香空気が放出口１ａへ移動し、最終的に外部へと放出される。スイッチの投入がなければ、通常運転から他の運転状態へ変化しない（図８、Ｓ４のＮＯ）。
【００２９】
もう一度本体を下方向に押し付けると、スイッチ９ｃが投入され（図８、Ｓ４のＹＥＳ）、運転状態が間欠運転となる（図８、Ｓ５）。間欠運転では、制御部１３によりランプの駆動部１４、ファンの駆動部１５、振動子の駆動部１６が制御され、ランプ１１はオレンジ色に光り、ファン及び振動子６が５秒間作動後に８秒間休止することを繰り返す。通常運転時と同様、作動したファン及び振動子６によって芳香空気が放出口１ａから放出される。スイッチの投入がなければ、間欠運転から他の運転状態へ変化しない（図８、Ｓ６のＮＯ）
【００３０】
更に本体を下方向に押し付けると、スイッチ９ｃが投入され（図８、Ｓ６のＹＥＳ）、運転状態が再び待機状態となる（図８、Ｓ７）。
【００３１】
使用を終了しない場合には（図８、Ｓ８のＮＯ）、スイッチ９ｃを投入しなければ（図８、Ｓ９のＮＯ）待機状態のままであり（図８、Ｓ７）、スイッチ９ｃを投入すれば（図８、Ｓ９のＹＥＳ）通常運転となる（図８、Ｓ３）。使用を終了するならば（図８、Ｓ８のＹＥＳ）、そこで制御部による処理手順も終了する。
【００３２】
図６で示されるように、使用者はランプの光Ｌを見ることができる。上述のように運転状態と対応してランプの光Ｌの色が切り替わるため、ランプの光Ｌの色を見ることで、使用者は運転状態を知ることができる。
【００３３】
この実施形態では全ての運転状態について対応する色にランプが点灯しているが、ある一つの運転状態については消灯とし、他の運転状態について対応する色の光が点灯するように設計することもできる。
【００３４】
図９で示されるように、本体内部４の底部には凸部１０が設けられており、装置本体１の傾きを規制する。凸部１０は装置本体１の底部の外縁に設けられており、スイッチ付き足９ａの本体内部４の底部の中心を挟んで反対側に２つ、滑り止めゴム付き足９ｂの本体内部４の底部の中心を挟んで反対側に１つ配置されている。
【００３５】
スイッチ９ｃを押すためには、図７のように使用者の手Ｈによって本体１を矢印Ａ方向に押し付けながら、２つの滑り止めゴム付き足９ｂを支点としてスイッチ９ｃのあるスイッチ付き足９ａの方向へ少し装置本体１を傾けることとなる。
【００３６】
この際に、図９における非斜線部ＳＨ２が凸部１０によって形成される支持基底面となり、使用者の手Ｈによって加わる力も含めた装置本体１の重心が非斜線部ＳＨ２上にあるときには、凸部１０が傾きを規制する。斜線部ＳＨ１に使用者の手Ｈによって加わる力も含めた本体１の重心が来るときには凸部１０は傾きを規制しない。
【００３７】
本実施形態において凸部は図９においてスイッチ付き足９ａのある、スイッチ押し付け方向Ｘには、斜線部ＳＨ１が大きくなっている。それに対し、非スイッチ押し付け方向Ｙには、斜線部ＳＨ１が小さくなっている。これは、スイッチ押し付け方向Ｘに対する傾きの規制は小さく、非スイッチ押し付け方向Ｙに対する傾きの規制は大きいことを意味する。
【００３８】
このことにより、スイッチ９ｃを押す方向へは傾けやすく、それ以外の方向へは傾けにくい構造を実現している。
【００３９】
また、スイッチ９ｃの設けられているスイッチ付き足９ａとランプ１１が近接して設けられているため、ランプ１１に照らされている位置を見ることでスイッチ９ｃの設けられているスイッチ付き足９ａの位置がわかり、スイッチ９ｃを押すために装置本体１を押し付けるときにどちらの方向へ傾けるべきか知ることができる。
【００４０】
外部カバー２の形状や材質を変えることで、使用者は容易に加湿器の外観を変更することができる。たとえば図１０のように材質をガラスにしたり、図１１のように形状を球状にしたりすることができる。
【産業上の利用可能性】
【００４１】
本発明は、加湿器や電気芳香器のように加湿や芳香空気の散布など何らかの空気への処理を行い、通常運転や間欠運転といった運転状態を使用者に知らせる機能を持つ空気処理装置として有用である。
【符号の説明】
【００４２】
１    装置本体
１ａ  放出口
２    外部カバー
３    内部カバー
３ａ  放出口固定リブ
４  本体内部
４ａ  つば部
５  貯水タンク
６  振動子（空気処理部）
７  通気口
８  吸気口
９ａ  スイッチ付き足（支持足）
９ｂ  滑り止めゴム付き足（支持足）
９ｃ  スイッチ
１０  凸部
１１  ランプ
１２  電源プラグ差込口
１３  制御部
１４  ランプの駆動部
１５  ファンの駆動部
１６  振動子の駆動部
Ａ  矢印
Ｌ  ランプの光
Ｈ  使用者の手
Ｘ  スイッチ押し付け方向
Ｙ  非スイッチ押し付け方向
ＳＨ１  斜線部
ＳＨ２  非斜線部
【図１】
2018200153.tif 000003
【図２】
2018200153.tif 000004
【図３】
2018200153.tif 000005
【図４】
2018200153.tif 000006
【図５】
2018200153.tif 000007
【図６】
2018200153.tif 000008
【図７】
2018200153.tif 000009
【図８】
2018200153.tif 000010
【図９】
2018200153.tif 000011
【図１０】
2018200153.tif 000012
【図１１】
2018200153.tif 000013
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
装置本体に、外部空気の吸気口と、内部空気を放出するための放出口と、前記吸気口から前記放出口へと空気を移動させるためのファンと、前記吸気口から前記放出口の空気流路の途中に設けられて空気に対して処理を施す空気処理部とを備えた空気処理装置であって、
前記装置本体の底部に当該装置本体を支える複数の支持足を設け、
前記支持足の少なくとも一つに、前記空気処理部を動作させるスイッチを設け、
前記装置本体の底部に、当該底部から前記装置本体が載置される載置面に向かって、複数の色を発光可能なランプを設け、
前記ランプを、前記支持足を前記載置面に置いた状態において前記装置本体側面に露出しない位置で、かつ前記支持足の間からランプ光を見ることができる位置に配設し、
前記装置本体を前記載置面に押し付けることにより、前記支持足の前記スイッチを前記載置面へ押し付けて前記スイッチを投入することにより、前記空気処理部の運転状態を変化させると共に、前記運転状態に応じて前記ランプが異なる色に点灯するかあるいは消灯させる制御を行う制御部を備えたことを特徴とする空気処理装置。
【請求項２】
前記支持足を複数個配置し、前記装置本体の底部の外縁に、当該装置本体の傾きを防ぐ凸部を設けたことを特徴とする請求項１記載の空気処理装置。
【請求項３】
前記スイッチが設けられている前記支持足と前記ランプを近接して配置したことを特徴とする請求項１記載の空気処理装置。
【請求項４】
底部以外を覆う外部カバーを備え、当該外部カバーの側部及び上部には前記放出口のみを設けたことを特徴とする請求項１記載の空気処理装置。 
【手続補正２】
【補正対象書類名】明細書
【補正対象項目名】０００６
【補正方法】変更
【補正の内容】
【０００６】
請求項１記載の空気処理装置は、装置本体に、外部空気の吸気口と、内部空気を放出するための放出口と、前記吸気口から前記放出口へと空気を移動させるためのファンと、前記吸気口から前記放出口の空気流路の途中に設けられて空気に対して処理を施す空気処理部とを備えた空気処理装置であって、前記装置本体の底部に当該装置本体を支える複数の支持足を設け、前記支持足の少なくとも一つに、前記空気処理部を動作させるスイッチを設け、前記装置本体の底部に、当該底部から前記装置本体が載置される載置面に向かって、複数の色を発光可能なランプを設け、前記ランプを、前記支持足を前記載置面に置いた状態において前記装置本体側面に露出しない位置で、かつ前記支持足の間からランプ光を見ることができる位置に配設し、前記装置本体を前記載置面に押し付けることにより、前記支持足の前記スイッチを前記載置面へ押し付けて前記スイッチを投入することにより、前記空気処理部の運転状態を変化させると共に、前記運転状態に応じて前記ランプが異なる色に点灯するかあるいは消灯させる制御を行う制御部を備えたことを特徴とする。